(57)【要約】【課題】カメラマンの好み、目的に応じてフォーカスコントロール装置の操作回転角をエンド端を有する場合とエンドレスの場合に自由に切り替えられるようにすること、また、２つのエンドレス操作可能なフォーカス駆動装置をシームレスに使用できるようにすることによって、操作性の向上を目的とする。【解決手段】一軸二操作方式のズーム、フォーカス駆動装置において、ストッパーに当てるピンの高さを、ピンを固定する溝の深さによって変えることにより、ストッパーを効かせたり、解除したりして切り替える。【選択図】        図１
2004325641.tif 000002
【特許請求の範囲】
【請求項１】
ズームレンズのズーミングおよびフォーカシングをコントローラーからの指令信号によってサーボ制御して駆動させるズームレンズの駆動装置において、フォーカス全域の操作範囲をエンドレスタイプとエンド端を有するタイプに切り替える切替手段を有することを特徴とするズームレンズの駆動装置。
【請求項２】
前記切替手段によって、エンドレスタイプの他に少なくとも２箇所以上の異なるエンド端位置に切り替えられることを特徴とする請求項１記載のズームレンズの駆動装置。
【請求項３】
少なくとも２つのフォーカスサーボ操作方式を使用可能なズームレンズ駆動システムにおいて、その操作方式を切り替えたときにピントがずれることなくシームレスに切替操作可能であることを特徴とするズームレンズの駆動システム。
【請求項４】
前記操作方式の少なくとも２つは、エンドレスタイプであることを特徴とする請求項４記載のズームレンズの駆動システム。
【請求項５】
前記操作方式の１つが一軸二操作方式であることを特徴とする請求項１ないし３記載のズームレンズの駆動装置。
【発明の詳細な説明】
【０００１】
【発明の属する技術分野】
本発明は、テレビカメラにおけるズームレンズのフォーカシングをサーボ駆動制御するズームレンズの駆動装置およびシステムに関するものである。
【０００２】
【従来の技術】
特開２０００−１６５７２２のような従来のテレビカメラ用ズームレンズのフォーカシングをコントローラーからの指令信号によってサーボ制御して操作する場合、フォーカスの操作回転角がある１範囲に限定されているタイプかエンコーダーなどを用いたエンドレスタイプかのどちらに限られており、１つの操作装置に２つの方式を備えて、両者を切り替えられるものは実施されていない。
【０００３】
また、操作範囲の切り替え可能なフォーカスコントローラーとしては、２つの異なるエンド端をもち、その操作範囲を選択可能なものが提案されているが、エンドレスタイプとの組み合わせになったものはない。
【０００４】
さらに、２つのフォーカシング操作方式を備えたズームレンズの駆動システムにおいては、共にエンド端を有したコントローラー同士の切替によって操作方式を変更できるシステムが実用化されている。
【０００５】
【発明が解決しようとする課題】
しかしながら、上記従来例の場合には、それぞれに次のような課題がある。すなわち、
▲１▼エンド端のある２種類の回転範囲を切り替える方式の場合、選択肢としては少ないため、必ずしもユーザーの求める操作範囲にあるとは限らないので、操作性の向上につながらないことがある。
【０００６】
▲２▼共にエンド端のある２つのフォーカス操作方式を備えたコントロールシステムの場合、操作方式を切り替えたとき、それぞれの指令値が一致していない為、フォーカス位置がずれてしまい、ピントがボケてしまうため、シームレスな操作はできない。
【０００７】
▲３▼エンド端のあるフォーカスコントローラーを１つ備えたズームレンズにおいて、あるフォーカス位置情報をメモリーし、ワンショットでその位置に移動できる機能を備え、その機能を操作した場合、コントローラーの指令値とワンショットで移動した位置の指令値がずれてしまうため、ワンショットで移動したフォーカス位置からコントロールを継続するようなシームレスな操作をすることができない。
【０００８】
▲４▼エンドレスフォーカスコントローラーを１つ備えたズームレンズの場合、上記のようなワンショットメモリー機能は使用可能となるが、固定した基準位置がないために全域のどのあたりを使用中なのかがわかりにくく、合わせこみの感覚がつかみにくい。
【０００９】
本発明は、上述したような課題を解決するために、１つのフォーカスコントローラーの中に操作範囲がエンドレスタイプのものとエンド端を持つものを装備し、切り替えを可能とすることによって、操作性の良好なテレビレンズを提供することにある。
【００１０】
また、エンドレスタイプの操作方式を２箇所に有し、これらを同時に操作可能なモードに切り替えることによってシームレスな操作が可能となり、カメラワークの幅が広がって、操作性の良好なテレビレンズを提供できる。
【００１１】
【課題を解決するための手段】
前述の課題を解決するため、本願の請求項１に記載したズームレンズの駆動装置は、フォーカス全域の操作範囲をエンドレスタイプとエンド端を有するタイプに切り替える手段を有することを特徴とする。
【００１２】
本願の請求項２に記載したズームレンズの駆動装置は、前記切替手段によって、エンドレスの他に、少なくとも２箇所以上の異なるエンド端位置に切り替えられることを特徴とする。
【００１３】
本願の請求項３に記載したズームレンズは、少なくとも２つのフォーカスサーボ操作方式を備え、その操作方式を切り替えたときにピントがずれることなくシームレスに切替操作可能であることを特徴とする。
【００１４】
本願の請求項４に記載したズームレンズの駆動システムは、前記操作方式の少なくとも２つがエンドレスタイプであることを特徴とする。
本願の請求項５に記載したズームレンズの駆動装置は、一軸二操作方式であることを特徴とする。
【００１５】
これらの手段によって、フォーカスコントローラーの操作範囲をエンドレスとエンド端ありに切り替えてカメラワークに合わせて選択可能とすることによって、操作性の良好なテレビレンズを提供することにある。
【００１６】
また、エンドレスタイプの操作方式を２箇所に有し、これらを同時に操作可能なモードへスイッチを切り替えることによってシームレスな操作が可能となり、カメラワークの幅が広がって、操作性の良好なテレビレンズを提供できる。
【００１７】
【発明の実施の形態】
図１，図２は本発明の第１の実施例を表す図である。図１は一軸ニ操作ユニットの内蔵型のテレビレンズであり、図２は内蔵型一軸ニ操作ユニットの詳細図である。
【００１８】
図１において、１はレンズ本体、２は一軸二操作ユニット、３は一軸二操作ユニットの操作軸、４は操作軸グリップである。
【００１９】
図２において、５はフォーカス指令用エンコーダで、その出力軸は、摺動管６と直結している。７は摺動管６の内部を摺動する操作軸で、先端のピン７ａは、摺動管６に空けられた溝６ａにかん合している。８は、操作軸グリップで、ここを握って操作する。９は摺動管６に固定されているギアで、フォーカスポットギア１０とストッパーギア１１とかみ合っている。１２は、エンコーダ５のイニシャライズ時の位置合わせに用いられるポテンショメータである。１３ａは、エンド端で回転を止めるためのストッパーで、ストッパーギア１１に固定されている。１４は切替軸ホルダーで切替軸１５が摺動するガイドになる。１５ａは切替軸１５を上下、回転させるピンで、切替軸１５に固定されている。１４ａ，１４ｂは摺動軸ホルダー１４にある浅溝、深溝で、ピン１５ａを落とし込む。１６はコイルバネで切替軸１５が動かないように負荷をかけている。１７は切替の判断をするセンサーである。
【００２０】
上記の構成において、ピン１５ａを深溝１４ａに落とし込んだときは、切替軸１５の先端がストッパー１３ａに届かないので、エンドレス操作が行われる。ピン１５ａを浅溝１４ｂに落とし込んだときは、切替軸１５の先端がストッパー１３ａに当たって止まるので、エンド端ありの操作が行われる。この場合、エンコーダーの信号のやり取りを正常に行うために、電源投入後、操作軸グリップ４を全域回転させることによってイニシャライズをする必要がある。このようにカメラマンの好みに合わせて自由に切り替えられるので、操作性が向上する。
【００２１】
図３は本発明の第２の実施例を表す図であり、第１の実施例におけるストッパーギア以降の切替手段を変えたものである。左側が正面図、右側が側面図である。図３において、１８はストッパーギアで、回転範囲を規制するストッパー溝１８ａが彫られている。１９はストッパーねじで、ねじ部１９ａの範囲で上下する。２０は切替の判断をするセンサーである。
【００２２】
上記の構成において、ストッパーねじ１９を締めこむと先端がストッパー溝１８ａの中に入り込み、溝の角度分の範囲に回転が規制され、エンド端のあるフォーカス操作ができる。このとき、センサー２０はストッパーねじ１９の頭で押されてＯＮになる。逆にストッパーねじ１９を緩めると、先端はストッパー溝１８ａから外れて回転の規制がなくなるので、エンドレスのフォーカス操作ができる。このとき、センサー２０はストッパーねじ１９の頭から離れるのでＯＦＦになる。このように、実施例１と同様の効果がある。
【００２３】
図４は本発明の第３の実施例を表す図であり、第１の実施例におけるストッパーギア以降の切替手段を変えたものである。左側が正面図、右側が側面図である。図４において、２１はストッパーギアで、回転範囲を規制するストッパーピン１３ａ〜１３ｃがそれぞれα、β、γの角度を持って２本ずつ固定されている。切替軸ホルダー１４には浅溝１４ｂのほかに第二浅溝１４ｃ、第三浅溝１４ｄがあり、切替軸１５の先端がストッパーピン１３ａ〜１３ｃにそれぞれ届くような深さに彫られている。その他の構成は図２と同様である。
【００２４】
上記の構成において、ピン１５ａを深溝１４ａに落とし込んだときは、切替軸１５の先端がストッパー１３ａに届かないので、エンドレス操作が行われる。ピン１５ａを浅溝１４ｂに落とし込んだときは、切替軸１５の先端がストッパー１３ａに当たって止まるので、回転角度γでエンド端ありの操作が行われる。第二浅溝１４ｃに落とすと回転角度β、第三浅溝１４ｄに落とすと回転角度αのエンド端ありの操作ができる。このようにカメラマンの好みに合わせて自由に切り替えられるので、操作性が向上する。
【００２５】
図５は本発明の第４の実施例を表す図であり、２つのフォーカスサーボ操作方式を使用可能な駆動システムをもったズームレンズである。図５において、２２はレンズ本体、２３は一軸二操作ユニットで第一のフォーカス操作方式である。２４は一軸二操作ユニットの操作軸、２５は操作軸グリップである。２６は第二のフォーカス操作方式であるフォーカスコントローラーの本体、２７はフォーカスコントローラーグリップでベアリング２８を介してエンコーダ２９と直結している。３０はコントローラーケーブルで、レンズ本体２２とコントローラー２６を接続している。３１はコントローラーの選択スイッチで、個々のコントローラー専用モードのほかに両方使用可能なモードを持ち、３ポジション切り替えられる。
【００２６】
上記の構成において、選択スイッチ３１をそれぞれのモードに切り替える。このとき、お互いの指令値を常に認識しあっているので、シームレスな操作が可能となり操作性が向上する。
【００２７】
【発明の効果】
以上説明したように、本願の請求項１に記載した発明によれば、フォーカス駆動系と連動して回転するギアの片側面に垂直に立てられたストッパーピンに対し、その回転を規制する位置から解除する位置まで摺動および固定が可能な切替軸を具備してエンドレスと端ありのフォーカシングが切り替えられることによって、カメラワークに合わせて両者を選択可能となるので、操作性が向上する。
また、本願の請求項２に記載した発明によれば、前記ストッパーピンを軸方向に対して異なる位置に複数個配置し、前記切替軸も各ストッパーの位置に対して回転を規制、解除および切替軸の固定が可能とすることによって、同様の効果が得られる。
【００２８】
さらに、本願の請求項４に記載した発明によれば、エンドレス操作が可能な操作装置を少なくとも２つ装備することによって、切替スイッチにて切り替えてもてシームレスな切替操作が行えるので、操作性が向上する。
【図面の簡単な説明】
【図１】本発明の第１の実施の形態に係る一軸ニ操作ユニット内蔵型テレビレンズを説明する図である。
【図２】本発明の第１の実施の形態に係る内蔵型一軸ニ操作ユニットを説明する図である。
【図３】本発明の第２の実施の形態に係る切替機構の詳細を説明する図である。
【図４】本発明の第３の実施の形態に係る切替機構の詳細を説明する図である。
【図５】本発明の第４の実施の形態に係る２つのフォーカス操作方式を備えたテレビレンズシステムを説明する図である。
【符号の説明】
１，２２  レンズ本体
２，２３  一軸二操作ユニット
３，７，２４  操作軸
４，８，２５  操作軸グリップ
５，２９  エンコーダ
６  摺動管
９  ギア
１０  フォーカスポットギア
１１  ストッパーギア
１２  ポテンショメータ
１３ａ  ストッパーピン
１３ｂ  ストッパーピン
１３ｃ  ストッパ
１４  切替軸ホルダ−
１５  切替軸
１４ａ  深溝
１４ｂ  浅溝
１４ｃ  第二浅溝
１４ｄ  第三浅溝
１５ａ  ピン
１６  コイルバネ
１７，２０  センサー
１８，２１  ストッパーギア
１８ａ  ストッパー溝
１９  ストッパーねじ
１９ａ  ねじ部
２６  コントローラー本体
２７  グリップ
２８  ベアリング
３０  ケーブル
３１  選択スイッチ
【図１】
2004325641.tif 000003
【図２】
2004325641.tif 000004
【図３】
2004325641.tif 000005
【図４】
2004325641.tif 000006
【図５】
2004325641.tif 000007